(57)【要約】【課題】出隅を製造するために切断しても幅が極端に狭い長方形ブロック柄が生じない建築板、及びその設計方法を提供する。【解決手段】建築板を長手方向が左右方向となるように配置し、前記建築板の長手方向に垂直な切断線を、前記建築板の一端から他端に向かって一定の間隔で設けた際に、前記切断線上に位置する長方形ブロック柄において、前記切断線から右端までの長さと前記切断線から左端までの長さが、前記建築板に配置された長方形ブロック柄の内の最小幅以上である建築板。及び、建築板を長手方向が左右方向となるように配置し、出隅の製造のために必要な長さの整数倍の位置に前記建築板の長手方向に垂直な切断線を設け、前記切断線上に位置する長方形ブロック柄において、前記切断線から右端、左端までの長さを測定し、前記最小幅以上となるように長方形ブロック柄の左右方向の長さを変更する建築板の設計方法。【選択図】図６
2017179946.tif 000002
【特許請求の範囲】
【請求項１】
複数の長方形ブロック柄を、建築板の長手方向に平行に配置した建築板であって、
前記建築板を長手方向が左右方向となるように配置して、前記建築板の長手方向に垂直な切断線を、前記建築板の一端から他端に向かって一定の間隔で設けた際に、前記切断線上に位置する長方形ブロック柄において、前記切断線から右端までの長さと前記切断線から左端までの長さが、前記建築板に配置された長方形ブロック柄の内の最小幅以上である
ことを特徴とする建築板。
【請求項２】
前記建築板の長手方向に垂直な目地溝が複数配置されており、
前記目地溝の前記建築板の長手方向に対する間隔は、前記切断線の間隔の整数倍である
ことを特徴とする請求項１に記載の建築板。
【請求項３】
表面に複数の長方形ブロック柄を有する建築板の設計方法であって、
前記長方形ブロック柄を、前記建築板の長手方向に平行に配置し、
前記建築板を長手方向が左右方向となるように配置するとともに、前記建築板の一端から他端に向かって、出隅の製造のために必要な長さの整数倍の位置に、前記建築板の長手方向に垂直な切断線を設け、
前記切断線上に位置する長方形ブロック柄において、前記切断線から右端までの長さと前記切断線から左端までの長さとを測定し、
測定した長さが、前記建築板に配置された長方形ブロック柄の内の最小幅未満であれば、前記最小幅以上となるように長方形ブロック柄の左右方向の長さを変更する
ことを特徴とする建築板の設計方法。
【請求項４】
表面に、前記長方形ブロック柄を配置する際に、前記建築板の長手方向に垂直に延びた目地溝を、前記建築板の長手方向に対して、前記切断線の間隔の整数倍の間隔で設け、
前記切断線の配置は、前記目地溝を除いた部分を対象に行う
ことを特徴とする請求項３に記載の建築板の設計方法。
【発明の詳細な説明】
【技術分野】
【０００１】
本発明は、表面に長方形ブロック柄を有する建築板に関する。
【背景技術】
【０００２】
従来より、窯業系サイディングボードや、金属系サイディングボード、ＡＬＣボード（Autoclaved Lightweight aerated Concrete）などが建築物の外壁、内壁を構成する建築板として用いられている。建築板は通常、長方形の板であり、複数の建築板を貼り合わせて建築物の外壁、内壁を構成する。その際に、隅部には出隅と呼ばれる断面Ｌ字形状の部材を貼ることが行われている。出隅は、壁面の外観を統一させるため、特許文献１の従来技術に記載されるように、建築板を切断して製造されることが多い。
【０００３】
しかし、建築板の表面には意匠性を高める為、様々な凹凸形状が設けられることが多く、特許文献２には、表面に複数の長方形ブロック柄を有する建築板が開示されている。特許文献２のような建築板から出隅を製造するために切断すると、切断位置によっては長方形ブロック柄の幅が極端に狭くなることがある。幅が極端に狭い長方形ブロック柄は、製造、運搬、保管の際に欠けやすく、損傷しやすい。更に、施工した際に、幅が極端に狭い長方形ブロック柄が目立ってしまい、建築物の外観を損ねるという課題があった。
【先行技術文献】
【特許文献】
【０００４】
【特許文献１】特開２０００−２３４４３１号公報
【特許文献２】特開２００１−０２０４９３号公報
【発明の概要】
【発明が解決しようとする課題】
【０００５】
本発明は、かかる従来の課題に鑑みたものであり、出隅を製造するために切断しても幅が極端に狭い長方形ブロック柄が生じない建築板、及びその設計方法を提供する。
【課題を解決するための手段】
【０００６】
本発明は、複数の長方形ブロック柄を、建築板の長手方向に平行に配置した建築板であって、前記建築板を長手方向が左右方向となるように配置して、前記建築板の長手方向に垂直な切断線を、前記建築板の一端から他端に向かって一定の間隔で設けた際に、前記切断線上に位置する長方形ブロック柄において、前記切断線から右端までの長さと前記切断線から左端までの長さが、前記建築板に配置された長方形ブロック柄の内の最小幅以上であることを特徴とする。
【０００７】
本発明の第二の態様では、上述の特徴に加え、建築板の長手方向に垂直な目地溝が複数配置されており、前記目地溝の前記建築板の長手方向に対する間隔は、前記切断線の間隔の整数倍である。
【０００８】
本発明の第三の態様は、表面に複数の長方形ブロック柄を有する建築板の設計方法である。第三の態様では、まず、長方形ブロック柄を、建築板の長手方向に平行に配置する。次に、建築板を長手方向が左右方向となるように配置するとともに、前記建築板の一端から他端に向かって、出隅の製造のために必要な長さの整数倍の位置に、前記建築板の長手方向に垂直な切断線を設け、前記切断線上に位置する長方形ブロック柄において、前記切断線から右端までの長さと前記切断線から左端までの長さとを測定する。そして、測定した長さが、建築板に配置された長方形ブロック柄の内の最小幅未満であれば、前記最小幅以上となるように長方形ブロック柄の左右方向の長さを変更する。
【０００９】
本発明の第四の態様は、第三の態様において、表面に、前述した長方形ブロック柄を配置する際に、前記建築板の長手方向に垂直に延びた目地溝を、前記建築板の長手方向に対して、前記切断線の間隔の整数倍の間隔で設け、前記切断線の配置は、前記目地溝を除いた部分を対象に行う。
【発明の効果】
【００１０】
本発明によれば、出隅を製造するために切断しても幅が極端に狭い長方形ブロック柄が生じない建築板、及びその設計方法を提供することができる。
【図面の簡単な説明】
【００１１】
【図１】図１は、複数の長方形ブロック柄を有する建築板の正面図である。
【図２】図２は、図１に示す建築板の側面図である。
【図３】図３は、図１に示す建築板に切断線を設けた図である。
【図４】図４は、長方形ブロック柄１１１付近の拡大図である。
【図５】図５は、長方形ブロック柄１１２付近の拡大図である。
【図６】図６は、本発明の第一形態の建築板の正面図である。
【図７】図４は、長方形ブロック柄１２１付近の拡大図である。
【図８】図５は、長方形ブロック柄１２２付近の拡大図である。
【図９】図９は、複数の長方形ブロック柄を有する別の建築板の正面図である。
【図１０】図１０は、図９に示す建築板に切断線を設けた図である。
【図１１】図１１は、本発明の第二形態の建築板の正面図である。
【図１２】図１２は、長方形ブロック柄２２１、２２２付近の拡大図である。
【図１３】図１３は、長方形ブロック柄２２３、２２４付近の拡大図である。
【図１４】図１４は、長方形ブロック柄２２５、２２６付近の拡大図である。
【発明を実施するための形態】
【００１２】
以下、図面を参照しながら本発明について詳細に説明する。
【００１３】
（実施の第一形態）
図１は、複数の長方形ブロック柄を、建築板の長手方向に平行に配置した建築板１１の正面図であり、図２は建築板１１の側面図である。
建築板としては、木繊維補強セメント板、繊維補強セメント板、繊維補強セメント・ケイ酸カルシウム板などの窯業系サイディングボード、金属系サイディングボード、ＡＬＣボード（Autoclaved Lightweight aerated Concrete）などが適用できるが、第一形態では、長手方向の長さが３０３０ｍｍ、短手方向の長さが４５５ｍｍの長方形の窯業系サイディングボードを用いている。
【００１４】
建築板１１の表面には、建築板１１の長手方向に平行に、複数の長方形ブロック柄１１０が配置されている。長方形ブロック柄１１０は、建築板２１の長手方向に対して垂直な縦溝１１９ｌと、建築板２１の長手方向に対して平行な横溝１１９ｗに囲まれることにより形成されている。複数の長方形ブロック柄１１０において、長手方向に平行な長さは様々である。図１では、長方形ブロック柄１１０の長手方向に平行な長さを大きく３分類して、１０〜２０ｍｍの長さの長方形ブロック柄１１０を１１０ａ、２１〜４０ｍｍの長さの長方形ブロック柄１１０を１１０ｂ、４１ｍｍ以上の長さの長方形ブロック柄１１０を１１０ｃと示している。
長方形ブロック柄１１０の内、最小幅は１０ｍｍであり、図１においてはｗ１と示している。
複数の長方形ブロック柄１１０において、長手方向に垂直な長さは、多くがｈ１の長さで形成されており、残りの一部はｈ１の２倍の長さで形成されている。長方形ブロック柄１１０は、長手方向に垂直に４行配置されており、各行における長方形ブロック柄１１０の配置は異なる。
なお、長方形ブロック柄１１０の内、図１の中央付近の第一行にある長方形ブロック柄を１１１、図１の中央付近の第四行にある長方形ブロック柄を１１２と特定しており、長方形ブロック柄１１１、１１２を用いて、第一形態について後述する。
【００１５】
図３は、建築板１１に切断線ｃ１を設けた図であり、図４は、長方形ブロック柄１１１付近の拡大図であり、図５は、長方形ブロック柄１１２付近の拡大図である。
切断線ｃ１は、出隅を作成する際に切断する位置であり、建築板１１の長手方向に垂直に、建築板１１を分断するよう設けられる。図３では、左端から８６ｍｍ間隔で、建築板１１の長手方向に対して垂直に切断線ｃ１を複数配している。なお、建築板１１において、最も右に位置する切断線ｃ１から建築板１１の右端までは８６ｍｍ未満である。また、図３においては、各切断線ｃ１の左右両側に、建築板１１の長手方向にｗ１離して、破線で示す補助線を配している。補助線は、長方形ブロック柄の右端と左端が、切断線ｃ１からｗ１以上離れているか確認するために線である。すなわち、長方形ブロック柄の右端（又は左端）が、切断線ｃ１と補助線との間に存在する場合、その長方形ブロック柄の切断線ｃ１から右端（又は左端）までの長さは、ｗ１未満であることが判る。
【００１６】
図３においては、切断線ｃ１上に位置する長方形ブロック柄の内、図の中央付近の第一行にある長方形ブロック柄１１１と、図の中央付近の第四行にある長方形ブロック柄１１２の切断線ｃ１からの幅が、最小幅ｗ１よりも狭い。詳しくは、長方形ブロック柄１１１は、切断線ｃ１により、切断線ｃ１の左側にある長方形ブロック柄１１１ｌと、切断線ｃ１の右側にある長方形ブロック柄１１１ｒに分かれる。長方形ブロック柄１１１ｒの右端は、補助線よりも切断線ｃ１から離れており、長方形ブロック柄１１１ｒの切断線ｃ１から右端までの長さは、最小幅ｗ１よりも広い。しかし、長方形ブロック柄１１１ｌの左端は、補助線よりも切断線ｃ１に近く、前記補助線と切断線ｃ１の間に位置するので、長方形ブロック柄１１１ｌの切断線ｃ１から左端までの長さは、最小幅ｗ１よりも狭い。一方、長方形ブロック柄１１２は、切断線ｃ１により、切断線ｃ１の左側にある長方形ブロック柄１１２ｌと、切断線ｃ１の右側にある長方形ブロック柄１１２ｒに分かれる。長方形ブロック柄１１２ｌの左端は、補助線よりも切断線ｃ１から離れており、長方形ブロック柄１１２ｌの切断線ｃ１から左端までの長さは、最小幅ｗ１よりも広い。しかし、長方形ブロック柄１１２ｒの右端は、補助線よりも切断線ｃ１に近く、前記補助線と切断線ｃ１の間に位置するので、長方形ブロック柄１１２ｒの切断線ｃ１から右端までの長さは、最小幅ｗ１よりも狭い。他の、切断線ｃ１上に位置する長方形ブロック柄については、右端及び左端が、いずれも補助線上か、補助線よりも切断線ｃ１から離れており、切断線ｃ１から右端までの長さと切断線ｃ１から右端までの長さは、最小幅ｗ１以上である。
【００１７】
図６は、建築板１１の一部の長方形ブロック柄の形状を変更した建築板１２の正面図であり、図７は、形状を変更した長方形ブロック柄１２１付近の拡大図であり、図８は、形状を変更した長方形ブロック柄１２２付近の拡大図である。なお、図６〜８において、切断線ｃ１と補助線が示してあるが、位置、間隔は図３〜５と同じである。
【００１８】
建築板１２では、長方形ブロック柄１１１の幅を左側に広げ、長方形ブロック柄１２１としている。長方形ブロック柄１１１の左端を左に移動させており、図７において、斜線で示した部分が変更により増えた部分である。長方形ブロック柄１２１は、切断線ｃ１により、切断線ｃ１の左側にある長方形ブロック柄１２１ｌと、切断線ｃ１の右側にある長方形ブロック１２１ｒに分かれる。長方形ブロック柄１２１ｌの左端、長方形ブロック１２１ｒの右端は、どちらも切断線ｃ１と補助線との間に位置せず、補助線よりも切断線ｃ１から離れている。すなわち、長方形ブロック柄１２１ｌの切断線ｃ１から左端までの長さと、長方形ブロック柄１２１ｒの切断線ｃ１から右端までの長さは、最小幅ｗ１よりも広い。なお、長方形ブロック柄１１１の幅を左側に広げたことにより、長方形ブロック柄１２１の左隣のブロック柄の幅（建築板１２の長手方向に平行な長さ）は狭くなっているが最小幅ｗ１よりも広く、問題は無い。
【００１９】
一方、長方形ブロック柄１１２については、幅を右側に広げ、長方形ブロック柄１２２としている。長方形ブロック柄１１２の右端を右に移動させており、図８において、斜線で示した部分が変更により増えた部分である。長方形ブロック柄１２２は、切断線ｃ１により、切断線ｃ１の左側にある長方形ブロック柄１２２ｌと、切断線ｃ１の右側にある長方形ブロック柄１２２ｒに分かれる。長方形ブロック柄１２２ｌの左端、長方形ブロック柄１２２ｒの右端は、どちらも切断線ｃ１と補助線との間に位置せず、補助線よりも切断線ｃ１から離れている。すなわち、長方形ブロック柄１２２ｌの切断線ｃ１から左端までの長さと、長方形ブロック柄１２２ｒの切断線ｃ１から右端までの長さは、最小幅ｗ１よりも広い。なお、長方形ブロック柄１１２の幅を右側に広げたことにより、長方形ブロック柄１２２の右隣のブロック柄の幅（建築板１２の長手方向に平行な長さ）は狭くなっているが最小幅ｗ１よりも広く、問題は無い。
【００２０】
また、他の、切断線ｃ１上に位置する長方形ブロック柄については、建築板１１と同じなので、右端及び左端が、いずれも補助線上か、補助線よりも切断線ｃ１から離れており、切断線ｃ１から左端までの長さと切断線ｃ１から右端までの長さは、最小幅ｗ１以上である。
【００２１】
よって、図６に示す建築板を用いれば、出隅製造の為に切断しても、切断された建築板において、長方形ブロック柄の幅が最小幅ｗ１未満となることはない。そのため、切断した建築板を用いて製造した出隅を施工しても建築物の外観を損ねるという欠点は発生せず、製造、運搬、保管の際に欠けやすく、損傷しやすいという問題も発生しない。
【００２２】
（実施の第二形態）
図９は、複数の長方形ブロック柄を、建築板の長手方向に平行に配置した建築板２１の正面図である。建築板２１も、長手方向の長さが３０３０ｍｍ、幅が４５５ｍｍの窯業系サイディングボードである。
【００２３】
建築板２１の表面には、建築板２１の長手方向に平行な複数の長方形ブロック柄２１０と、複数の目地溝２１９ｓが配置されている。複数の目地溝２１９ｓは、いずれも建築板２１の上端部から下端部にかけて設けてあり、建築板２１の長手方向に対して垂直である。また、目地溝２１９ｓは、隣の目地溝２１９ｓとの間隔が８６ｍｍの整数倍となるよう配置されている。長方形ブロック柄２１０は、建築板２１の長手方向に対して垂直な縦溝２１９ｌと、建築板２１の長手方向に対して平行な横溝２１９ｗと、目地溝２１９ｓの少なくともいずれかに囲まれることにより形成されている。複数の長方形ブロック柄２１０において、長手方向に平行な長さは様々である。図９では、長方形ブロック柄２１０の長手方向に平行な長さを大きく３分類して、４３ｍｍの長さの長方形ブロック柄２１０を２１０ａ、４４〜８５ｍｍの長さの長方形ブロック柄２１０を２１０ｂ、８６ｍｍ以上の長さの長方形ブロック柄２１０を２１０ｃと示している。
【００２４】
長方形ブロック柄２１０の内、最小幅は４３ｍｍであり、図９においてはｗ２と示している。
複数の長方形ブロック柄２１０において、長手方向に垂直な長さは、直上又は直下に位置する別の長方形ブロック柄とあわせてｈ２の長さとなるよう形成されている。長手方向に垂直な長さがｈ２となる長方形ブロック柄２１０の組み合わせは、長手方向に垂直に３行配置されており、各行における長方形ブロック柄２１０の配置は異なる。
なお、長方形ブロック柄２１０の内、図９の左端付近の第一列にある長方形ブロック柄を３１１、３１２と、図９の中央付近の第三列にある長方形ブロック柄を３１３、３１４と、図９の中央付近の第一列にある長方形ブロック柄を３１５、３１６と特定しており、長方形ブロック柄３１１〜３１６を用いて、第二形態について後述する。
【００２５】
図１０は、建築板２１に切断線ｃ２を設けた図である。
切断線ｃ２は、出隅を作成する際に切断する位置であり、建築板２１の長手方向に垂直に、建築板２１を分断するよう設けられる。図１０では、左端から８６ｍｍ間隔で、建築板２１の長手方向に対して垂直に切断線ｃ２を複数配しているが、目地溝２１９ｓを除く部分に切断線ｃ２を配置している点が第一形態と異なる。すなわち、図１０では、左端から８６ｍｍ間隔で切断線ｃ２を設けるが、切断線ｃ２を設けた際に右側に目地溝２１９ｓが隣接する場合、目地溝２１９ｓの右端に次の切断線ｃ２を設る。そして、更に次の切断線ｃ２は、８６ｍｍ離れた位置に設ける。以上の作業を繰り返すことにより、建築板２１に切断線ｃ２が設けられる。なお、図１０においても、各切断線ｃ２の左右両側に、建築板２１の長手方向にｗ２離して、破線で示す補助線を配しているが、切断線ｃ２が目地溝２１９ｓと隣接する場合には、目地溝２１９ｓと隣接する側には補助線を配していない。
【００２６】
図１０においては、切断線ｃ２上に位置する長方形ブロック柄の内、図１０の左端付近の第一列にある長方形ブロック柄２１１、２１２と、図１０の中央付近の第三列にある長方形ブロック柄２１３、２１４と、図１０の中央付近の第一列にある長方形ブロック柄２１５、２１６の切断線ｃ２からの幅が、最小幅ｗ２よりも狭い。
詳しくは、長方形ブロック柄２１１は、切断線ｃ２により、切断線ｃ２の左側にある長方形ブロック柄２１１ｌと、切断線ｃ２の右側にある長方形ブロック柄２１１ｒに分かれる。長方形ブロック柄２１１ｌの左端は、補助線よりも切断線ｃ２に近く、前記補助線と切断線ｃ２の間に位置し、長方形ブロック柄２１１ｒの右端は、補助線よりも切断線ｃ２に近く、前記補助線と切断線ｃ２の間に位置するので、長方形ブロック柄２１１ｌの切断線ｃ２から左端までの長さと長方形ブロック柄２１１ｒの切断線ｃ２から右端までの長さは、最小幅ｗ２よりも狭い。
長方形ブロック柄２１２についても、切断線ｃ２により、切断線ｃ２の左側にある長方形ブロック柄２１２ｌと、切断線ｃ２の右側にある長方形ブロック柄２１２ｒに分かれるが、長方形ブロック柄２１２ｌの左端は、補助線よりも切断線ｃ２に近く、前記補助線と切断線ｃ２の間に位置し、長方形ブロック柄２１２ｒの右端は、補助線よりも切断線ｃ２に近く、前記補助線と切断線ｃ２の間に位置するので、長方形ブロック柄２１２ｌの切断線ｃ２から左端までの長さと長方形ブロック柄２１２ｒの切断線ｃ２から右端までの長さは、最小幅ｗ２よりも狭い。
【００２７】
長方形ブロック柄２１３についても、切断線ｃ２により、切断線ｃ２の左側にある長方形ブロック柄２１３ｌと、切断線ｃ２の右側にある長方形ブロック柄２１３ｒに分かれるが、長方形ブロック柄２１３ｌの左端は、補助線よりも切断線ｃ２に近く、前記補助線と切断線ｃ２の間に位置し、長方形ブロック柄２１３ｒの右端は、補助線よりも切断線ｃ２に近く、前記補助線と切断線ｃ２の間に位置するので、長方形ブロック柄２１３ｌの切断線ｃ２から左端までの長さと長方形ブロック柄２１３ｒの切断線ｃ２から右端までの長さは、最小幅ｗ２よりも狭い。
長方形ブロック柄２１４についても、切断線ｃ２により、切断線ｃ２の左側にある長方形ブロック柄２１４ｌと、切断線ｃ２の右側にある長方形ブロック柄２１４ｒに分かれるが、長方形ブロック柄２１４ｌの左端は、補助線よりも切断線ｃ２に近く、前記補助線と切断線ｃ２の間に位置し、長方形ブロック柄２１４ｒの右端は、補助線よりも切断線ｃ２に近く、前記補助線と切断線ｃ２の間に位置するので、長方形ブロック柄２１４ｌの切断線ｃ２から左端までの長さと長方形ブロック柄２１４ｒの切断線ｃ２から右端までの長さは、最小幅ｗ２よりも狭い。
【００２８】
長方形ブロック柄２１５についても、切断線ｃ２により、切断線ｃ２の左側にある長方形ブロック柄２１５ｌと、切断線ｃ２の右側にある長方形ブロック柄２１５ｒに分かれるが、長方形ブロック柄２１５ｌの左端は、補助線よりも切断線ｃ２に近く、前記補助線と切断線ｃ２の間に位置し、長方形ブロック柄２１５ｒの右端は、補助線よりも切断線ｃ２に近く、前記補助線と切断線ｃ２の間に位置するので、長方形ブロック柄２１５ｌの切断線ｃ２から左端までの長さと長方形ブロック柄２１５ｒの切断線ｃ２から右端までの長さは、最小幅ｗ２よりも狭い。
長方形ブロック柄２１６についても、切断線ｃ２により、切断線ｃ２の左側にある長方形ブロック柄２１６ｌと、切断線ｃ２の右側にある長方形ブロック柄２１６ｒに分かれるが、長方形ブロック柄２１６ｌの左端は、補助線よりも切断線ｃ２に近く、前記補助線と切断線ｃ２の間に位置し、長方形ブロック柄２１６ｒの右端は、補助線よりも切断線ｃ２に近く、前記補助線と切断線ｃ２の間に位置するので、長方形ブロック柄２１６ｌの切断線ｃ２から左端までの長さと長方形ブロック柄２１６ｒの切断線ｃ２から右端までの長さは、最小幅ｗ２よりも狭い。
他の、切断線ｃ２上に位置する長方形ブロック柄については、右端及び左端が、いずれも補助線上か、補助線よりも切断線ｃ２から離れており、切断線ｃ２から右端までの長さと切断線ｃ２から右端までの長さは、最小幅ｗ２以上である。
【００２９】
図１１は、建築板２１の一部の長方形ブロック柄の形状を変更した建築板２２の正面図であり、図１２は、形状を変更した長方形ブロック柄２２１、２２２付近の拡大図であり、図１３は、形状を変更した長方形ブロック柄２２３、２２４付近の拡大図であり、図１４は、形状を変更した長方形ブロック柄２２５、２２６付近の拡大図である。なお、図１１〜１４において、切断線ｃ２と補助線が示してあるが、位置、間隔は図１０と同じである。
【００３０】
建築板２２では、長方形ブロック柄２１１、２１２、２１３、２１４、２１５、２１６の幅を左右両側に広げ、長方形ブロック柄２２１、２２２、２２３、２２４、２２５、２２６としている。
詳しくは、長方形ブロック柄２１１、２１２においては、左端を左に移動させるとともに、右端を右に移動させており、図１２において、斜線で示した部分が変更により増えた部分である。長方形ブロック柄２２１は、切断線ｃ２により、切断線ｃ２の左側にある長方形ブロック柄２２１ｌと、切断線ｃ２の右側にある長方形ブロック柄２２１ｒに分かれ、長方形ブロック柄２２２は、切断線ｃ２により、切断線ｃ２の左側にある長方形ブロック柄２２２ｌと、切断線ｃ２の右側にある長方形ブロック柄２２２ｒに分かれる。長方形ブロック柄２２１ｌ、２２２ｌの左端、長方形ブロック柄２２１ｒ、２２２ｒの右端は、いずれも補助線上に位置しているので、長方形ブロック柄２２１ｌの切断線ｃ２から左端までの長さと、長方形ブロック柄２２２ｌの切断線ｃ２から左端までの長さと、長方形ブロック柄２２１ｒの切断線ｃ２から右端までの長さと、長方形ブロック柄２２２ｒの切断線ｃ２から右端までの長さは、最小幅ｗ２と同じである。なお、長方形ブロック柄２１１、２１２の幅を左側、右側に広げたことにより、長方形ブロック柄２２１、２２２の左隣のブロック柄の幅と、右隣のブロック柄の幅は狭くなっているが、いずれも最小幅ｗ２と同じであり、問題は無い。
【００３１】
長方形ブロック柄２１３、２１４においても、左端を左に移動させるとともに、右端を右に移動させており、図１３において、斜線で示した部分が変更により増えた部分である。長方形ブロック柄２２３は、切断線ｃ２により、切断線ｃ２の左側にある長方形ブロック柄２２３ｌと、切断線ｃ２の右側にある長方形ブロック柄２２３ｒに分かれ、長方形ブロック柄２２４は、切断線ｃ２により、切断線ｃ２の左側にある長方形ブロック柄２２４ｌと、切断線ｃ２の右側にある長方形ブロック柄２２４ｒに分かれる。長方形ブロック柄２２３ｌ、２２４ｌの左端、長方形ブロック柄２２３ｒ、２２４ｒの右端は、いずれも補助線上に位置しているので、長方形ブロック柄２２３ｌの切断線ｃ２から左端までの長さと、長方形ブロック柄２２４ｌの切断線ｃ２から左端までの長さと、長方形ブロック柄２２３ｒの切断線ｃ２から右端までの長さと、長方形ブロック柄２２４ｒの切断線ｃ２から右端までの長さは、最小幅ｗ２と同じである。なお、長方形ブロック柄２１３、２１４の幅を左側、右側に広げたことにより、長方形ブロック柄２２３、２２４の左隣のブロック柄の幅と、右隣のブロック柄の幅は狭くなっているが、いずれも最小幅ｗ２と同じであり、問題は無い。
【００３２】
長方形ブロック柄２１５、２１６においても、左端を左に移動させるとともに、右端を右に移動させており、図１４において、斜線で示した部分が変更により増えた部分である。長方形ブロック柄２２５は、切断線ｃ２により、切断線ｃ２の左側にある長方形ブロック柄２２５ｌと、切断線ｃ２の右側にある長方形ブロック柄２２５ｒに分かれ、長方形ブロック柄２２６は、切断線ｃ２により、切断線ｃ２の左側にある長方形ブロック柄２２６ｌと、切断線ｃ２の右側にある長方形ブロック柄２２６ｒに分かれる。長方形ブロック柄２２５ｌ、２２６ｌの左端、長方形ブロック柄２２５ｒ、２２６ｒの右端は、いずれも補助線上に位置しているので、長方形ブロック柄２２５ｌの切断線ｃ２から左端までの長さと、長方形ブロック柄２２６ｌの切断線ｃ２から左端までの長さと、長方形ブロック柄２２５ｒの切断線ｃ２から右端までの長さと、長方形ブロック柄２２６ｒの切断線ｃ２から右端までの長さは、最小幅ｗ２と同じである。なお、長方形ブロック柄２１５、２１６の幅を左側、右側に広げたことにより、長方形ブロック柄２２５、２２６の左隣のブロック柄の幅と、右隣のブロック柄の幅は狭くなっているが、いずれも最小幅ｗ２と同じであり、問題は無い。
また、他の、切断線ｃ２上に位置する長方形ブロック柄については、建築板２１と同じなので、右端及び左端が、いずれも補助線上か、補助線よりも切断線ｃ２から離れており、切断線ｃ２から右端までの長さと切断線ｃ２から右端までの長さは、最小幅２以上である。
【００３３】
よって、図１１に示す建築板を用いれば、出隅製造の為に切断線ｃ２で切断しても、切断された建築板において、縦長ブロック柄の横幅が最小幅ｗ２未満となることはない。そのため、切断した建築板を用いて製造した出隅を施工しても建築物の外観を損ねるという欠点は発生せず、製造、運搬、保管の際に欠けやすく、損傷しやすいという問題も発生しない。
【００３４】
以上、本発明の実施の形態を詳述してきたが、具体的な構成はこの実施形態に限定されるものではなく、本発明の要旨を逸脱しない範囲における設計変更等があっても、それらは本発明に含まれるものである。例えば、切断線は、建築板の右端から左端に向かって配置しても良い。また、図３、６において、切断線を８６ｍｍ間隔で設けてあるが、作成する出隅の内寸にあわせて間隔を変更しても良く、例えば、間隔を１０６ｍｍとしても良い。更に、図１１において、目地溝は８６ｍｍの整数倍の間隔で設けてあるが、作成する出隅の内寸にあわせて目地溝の間隔を変化させて良く、例えば目地溝を１０６ｍｍの整数倍の間隔で設けても良い。
【符号の説明】
【００３５】
１１〜２２          建築板
１１０〜２２６      長方形ブロック柄
ｗ１、ｗ２          長方形ブロック柄の最小幅
ｃ１、ｃ２          切断線
【図１】
2017179946.tif 000003
【図２】
2017179946.tif 000004
【図３】
2017179946.tif 000005
【図４】
2017179946.tif 000006
【図５】
2017179946.tif 000007
【図６】
2017179946.tif 000008
【図７】
2017179946.tif 000009
【図８】
2017179946.tif 000010
【図９】
2017179946.tif 000011
【図１０】
2017179946.tif 000012
【図１１】
2017179946.tif 000013
【図１２】
2017179946.tif 000014
【図１３】
2017179946.tif 000015
【図１４】
2017179946.tif 000016